(57)【要約】【課題】可動グリップの位置に拘わらず見栄えを損なうことがなく、また携帯性に優れ、カメラを机上等に置く際にも支障を来すことがないカメラを提供できる。【解決手段】可動グリップ２０は、カメラ本体１０の前面に設けた撮影レンズＬＥを隠蔽する閉位置と、撮影レンズＬＥから退避してカメラの握り部を構成する開位置との間で回動可能とされ、いずれの位置においても、可動グリップ２０がカメラ本体１０の側面および上下面から外方に突出することはない。【選択図】図６
2008102338.tif 000002
【特許請求の範囲】
【請求項１】
カメラ本体の前面に沿って回動可能に支持された可動グリップを有し、
該可動グリップは、前記カメラ本体の前面に設けた撮影レンズを隠蔽する閉位置と、該撮影レンズから退避してカメラの握り部を構成する開位置との間で回動可能とされ、前記いずれの位置においても、前記可動グリップが前記カメラ本体の側面および上下面から外方に突出しないよう構成したことを特徴とする可動グリップ付きカメラ。
【請求項２】
前記可動グリップは、正面から見たときに細長の略矩形形状をなし、長手方向の一端が前記カメラ本体に回動可能に軸支されていることを特徴とする請求項１に記載の可動グリップ付きカメラ。
【請求項３】
前記可動グリップが前記閉位置にあるときには、該可動グリップの一側面が前記カメラ本体の上面と略面一となり、前記可動グリップが前記開位置にあるときには、該可動グリップの他の側面が前記カメラ本体の側面と略面一となることを特徴とする請求項１または２に記載の可動グリップ付きカメラ。
【請求項４】
前記可動グリップの裏面には凹凸が形成される一方、カメラ本体の前面には、前記可動グリップの凹凸と係合する凹凸が前記可動グリップの回動軸を中心として同心円状に形成され、これらの凹凸が係合した状態で前記可動グリップが回動することを特徴とする請求項１〜３のいずれか１項に記載の可動グリップ付きカメラ。
【請求項５】
前記カメラ本体の前面のうち、前記可動グリップの移動軌跡に相当する扇形の部分と、移動軌跡外の部分とで色を変えたことを特徴とする請求項１〜４のいずれか１項に記載の可動グリップ付きカメラ。
【請求項６】
前記カメラ本体の前面のうち、前記可動グリップの移動軌跡にあたる部分と移動軌跡外の部分とには段差が設けられ、前記可動グリップの前面は、前記起動軌跡外部分と略面一とされることを特徴とする請求項１〜５のいずれか１項に記載の可動グリップ付きカメラ。
【発明の詳細な説明】
【技術分野】
【０００１】
本発明は、回動式の可動グリップを有するカメラに関する。
【背景技術】
【０００２】
特許文献１には、扇形のレンズカバー（バリア）を備えたカメラが開示されている。レンズカバーは閉位置において撮影レンズを隠蔽し、開位置においてはグリップを構成する。
【０００３】
【特許文献１】特開平７−１５９８５７号公報
【発明の開示】
【発明が解決しようとする課題】
【０００４】
しかしながら、特許文献１のカメラでは、レンズカバーを開いたときにその一部がカメラ底面から下方に大きく突出するため、見栄えを損なうとともに携帯性に劣り、またカメラを机上等に置く場合も支障を来す。
【課題を解決するための手段】
【０００５】
本発明に係る可動グリップ付きカメラは、カメラ本体の前面に沿って回動可能に支持された可動グリップを有し、可動グリップは、カメラ本体の前面に設けた撮影レンズを隠蔽する閉位置と、撮影レンズから退避してカメラの握り部を構成する開位置との間で回動可能とされ、いずれの位置においても、可動グリップがカメラ本体の側面および上下面から外方に突出しないよう構成したことを特徴とする。
可動グリップは、正面から見たときに細長の略矩形形状をなし、長手方向の一端がカメラ本体に回動可能に軸支されていてもよい。
可動グリップが前記閉位置にあるときには、可動グリップの一側面がカメラ本体の上面と略面一となり、可動グリップが開位置にあるときには、可動グリップの他の側面がカメラ本体の側面と略面一となるようにしてもよい。
可動グリップの裏面に凹凸を形成する一方、カメラ本体の前面に、可動グリップの凹凸と係合する凹凸を可動グリップの回動軸を中心として同心円状に形成し、これらの凹凸が係合した状態で可動グリップが回動するようにしてもよい。
カメラ本体の前面のうち、可動グリップの移動軌跡に相当する扇形の部分と、移動軌跡外の部分とで色を変えてもよい。
カメラ本体の前面のうち、可動グリップの移動軌跡にあたる部分と移動軌跡外の部分とに段差を設け、可動グリップの前面を起動軌跡外部分と略面一としてもよい。
【発明の効果】
【０００６】
本発明によれば、可動グリップの位置に拘わらず見栄えを損なうことがなく、また携帯性に優れ、カメラを机上等に置く際にも支障を来すことがないカメラを提供できる。
【発明を実施するための最良の形態】
【０００７】
図面を参照して本発明の一実施の形態を説明する。
図１〜図７は本実施形態におけるカメラの外観図である。カメラ本体１０は、略直方体形状をなす。カメラ本体１０の各面のうち、撮影レンズＬＥ（図６，図７）が設けられる面１１をカメラ前面、その他の各面１２〜１５をそれぞれ背面、上面、左右側面と定義する。また、図２（ｂ）はカメラの正横撮影姿勢における正面図であり、以下の説明における上、下、左、右等の方向は、この正面図における方向を指すものとする。
【０００８】
図１，図５に示すように、カメラ前面１１および背面１２は略正方形とされる。背面１２には、画像表示が可能な液晶モニタ１２ａが設けられるとともに、ズームボタン１２ｂや４方向ボタン１２ｃ、その他の操作ボタン１２ｄが設けられている。また、カメラ上面１３には、レリーズボタン１３ａおよび電源ボタン１３ｂが設けられる。
【０００９】
カメラ前面１１には、可動グリップ２０が回動可能に軸支されている。可動グリップ２０は細長の略矩形形状をなし、面２１を前面、互いに平行な面２２，２３を側面とそれぞれ定義する。可動グリップ２０の一端側に設けた回動軸は、カメラ前面１１の左上角部において撮影レンズＬＥの光軸と平行に延在し、このため可動グリップ２０は、カメラ前面１１に沿って回動することになる。回動範囲は、図１〜図４に示す閉位置と、図６，図７に示す開位置との間の約９０度である。
【００１０】
閉位置において、可動グリップ２０は水平方向に延在し、撮影レンズＬＥを隠蔽して保護する。また、撮影レンズの左側に閃光装置の発光窓が設けられる場合は、この発光窓も隠蔽することができる。このとき、可動グリップ２０の一方の側面２２はカメラ本体１０の上面１３と面一となる。回動軸部分に設けた不図示のストッパにより、可動グリップ２０はこの位置を超えて上方に（反時計回りに）回動することはない。また、閉位置にもたらされた可動グリップ２０は、不図示のロック機構により自動的にこの位置でロックされる。ロック機構は例えば可撓性の部材を用いて構成され、可動グリップ２０に時計回りの力を加えることでロックは解除される。
【００１１】
一方、開位置において、可動グリップ２０は撮影レンズＬＥから退避して鉛直方向に延在し、カメラを構える際のグリップを構成する。このとき、可動グリップ２０の他方の側面２３は、カメラ左側面１４（図２（ａ））と面一となる。可動グリップ２０の側面２２，２３がいずれ鉛直方向に延在するため、右手でカメラを持ち易く、安定して保持することができる。回動軸部分に設けた不図示のストッパにより、可動グリップ２０はこの位置を超えて左方に（時計回りに）回動することはない。また、開位置にもたらされた可動グリップ２０は、不図示のロック機構により自動的にこの位置でロックされ、可動グリップ２０に反時計回りの力を加えることでロックは解除される。
【００１２】
以上のように、可動グリップ２０は、いずれの回動位置においてもカメラ上下面や側面から突出することがない。換言すれば、カメラを正面から見たときの形状が、可動グリップ２０の回動位置に拘わらず同一（正方形）であるため、携帯性に優れ、またカメラを机上等に置く際にも何ら支障を来すことがなく、さらに見栄えが悪化することもない。
【００１３】
ところで、図から分かるように、カメラ前面１１のうち、可動グリップ２０の移動軌跡にあたる扇形の部分１１ａと、移動軌跡外の部分１１ｂとには段差が設けられ、移動軌跡部分１１ａの方が一段低い位置にある。そして、可動グリップ２０の前面２１は、移動軌跡外部分１１ｂと面一とされる。これによれば、可動グリップ２０はカメラ前面から前方に突出しないことになるので、見栄えを損なうことがなく、また携帯性、収納性にも優れている。
【００１４】
しかも本実施形態では、可動グリップ２０の裏面に波状の凹凸が形成されるとともに、カメラ前面１１の移動軌跡部分１１ａには、可動グリップ２０の凹凸が係合する凹凸が形成されている。可動グリップ２０は、双方の凹凸が係合した状態で回動することになる。移動軌跡部分１１ａの凹凸は、必然的に可動グリップ２０の回動軸を中心とする同心円状の波模様を描くよう形成され、デザイン的に優れている。
【００１５】
なお、デザイン的な効果を上げるために、カメラ前面１１の移動軌跡部分１１ａと移動軌跡外部分１１ｂとで色を変えてもよい。その場合、可動グリップ２０の色は、移動軌跡部分１１ａと同色としても、移動軌跡外部分１１ａと同色としてもよいし、また両者と異なる色としてもよい。
【００１６】
図８〜図１４は他の実施形態を示し、それぞれ図１〜図７に対応する図である。図１〜図７と同様の箇所には同一の符号を付す。
本実施形態では、デザイン的効果を更に上げるために、カメラ前面１１が平面ではなく、横および縦の双方向に緩やかに波打った形状とされる。可動グリップ２０の裏面は、カメラ前面の移動軌跡部分１１ａに対応する波形状とされ、また可動グリップ２０の前面２１も裏面に対応する波形状とされる。図１０および図１３から分かるように、可動グリップ２０が開位置および閉位置のいずれにあっても、可動グリップ２０の前面２１は、カメラ前面１１の移動軌跡外部分１１ｂとの間に段差を形成せず、連続性を保つ。その他の構成は先の実施形態と同様である。
【図面の簡単な説明】
【００１７】
【図１】一実施形態におけるデジタルカメラの斜視図で、可動グリップが閉位置にある状態を示す。
【図２】（ａ）は図１のカメラの左側面図、（ｂ）は同正面図、（ｃ）は同右側面図。
【図３】図１のIII−III線から見た平面図。
【図４】図１のIV−IV線から見た底面図。
【図５】図１のカメラの背面図。
【図６】図１のカメラの斜視図で、可動グリップが開位置にある状態を示す。
【図７】図６のカメラの平面図。
【図８】他の実施形態におけるデジタルカメラの斜視図で、可動グリップが閉位置にある状態を示す。
【図９】（ａ）は図８のカメラの左側面図、（ｂ）は同正面図、（ｃ）は同右側面図。
【図１０】図８のＸ−Ｘ線から見た平面図。
【図１１】図８のXI−XI線から見た底面図。
【図１２】図８のカメラの背面図。
【図１３】図８のカメラの斜視図で、可動グリップが開位置にある状態を示す。
【図１４】図１３のカメラの平面図。
【符号の説明】
【００１８】
１０  カメラ本体
１１  前面
１１ａ  可動グリップの移動軌跡部分
１１ｂ  可動グリップの移動軌跡外部分
１２  背面
１３  上面
１４  左側面
２０  可動グリップ
２１  前面
２２  一側面
２３  他の側面
ＬＥ  撮影レンズ
【図１】
2008102338.tif 000003
【図２】
2008102338.tif 000004
【図３】
2008102338.tif 000005
【図４】
2008102338.tif 000006
【図５】
2008102338.tif 000007
【図６】
2008102338.tif 000008
【図７】
2008102338.tif 000009
【図８】
2008102338.tif 000010
【図９】
2008102338.tif 000011
【図１０】
2008102338.tif 000012
【図１１】
2008102338.tif 000013
【図１２】
2008102338.tif 000014
【図１３】
2008102338.tif 000015
【図１４】
2008102338.tif 000016